(57)【特許請求の範囲】
【請求項１】
複数のアプリケーションの表示画面のうち単一のアプリケーションに基づく表示画面を選択的に表示可能な携帯情報端末であって、
連携元アプリケーションの表示画面を表示する表示手段と、
前記連携元アプリケーションに連携する連携先アプリケーションを起動すべき旨の起動指示を受け付ける受付手段と、
前記起動指示に基づいて、前記連携元アプリケーションの表示画面をキャプチャすることにより前記連携先アプリケーション向けの背景用画像を生成する生成手段と、
を備え、
前記連携先アプリケーションは、前記連携元アプリケーションの表示画面の全表示領域よりも小さな表示領域を主表示領域として有し、
前記表示手段は、前記連携先アプリケーションの起動に際して前記連携元アプリケーションから前記連携先アプリケーションに渡された前記背景用画像を、前記連携先アプリケーションの起動後において前記連携先アプリケーションの前記主表示領域の周辺領域に表示することを特徴とする携帯情報端末。
【請求項２】
請求項１に記載の携帯情報端末において、
前記表示手段は、前記連携元アプリケーションの実行中且つ前記連携先アプリケーションの起動直前において、アプリケーションの呼出メニュー項目を含むメニュー画像を、前記連携元アプリケーションの表示画面内に表示し、
前記生成手段は、前記メニュー画像を有する画像を前記背景用画像として生成し、
前記表示手段は、前記連携先アプリケーションの起動後において、前記背景用画像を前記連携先アプリケーションの前記主表示領域の周辺領域に表示することを特徴とする携帯情報端末。
【請求項３】
請求項２に記載の携帯情報端末において、
前記生成手段は、前記呼出メニュー項目の被選択状態が示された前記メニュー画像を有する画像を、前記背景用画像として生成し、
前記表示手段は、前記連携先アプリケーションの起動後において、前記背景用画像を前記連携先アプリケーションの前記主表示領域の周辺領域に表示することを特徴とする携帯情報端末。
【請求項４】
請求項１に記載の携帯情報端末において、
前記連携元アプリケーションは、文書内容閲覧機能を有し、
前記表示手段は、前記連携元アプリケーションの文書内容閲覧機能の実行中且つ前記連携先アプリケーションの起動直前において、前記連携元アプリケーションにおける文書内容表示画像に対して、アプリケーションの呼出メニュー項目を含むメニュー画像を重畳して表示し、
前記生成手段は、前記メニュー画像の重畳表示前の前記文書内容表示画像を有する画像であって前記メニュー画像を有しない画像を、前記背景用画像として生成し、
前記表示手段は、前記連携先アプリケーションの起動後において、前記背景用画像を前記連携先アプリケーションの前記主表示領域の周辺領域に表示することを特徴とする携帯情報端末。
【請求項５】
請求項１に記載の携帯情報端末において、
前記連携元アプリケーションは、文書内容閲覧機能を有し、
前記表示手段は、前記連携元アプリケーションの文書内容閲覧機能の実行中且つ前記連携先アプリケーションの起動直前において、前記連携元アプリケーションにおける文書内容表示画像に対して、アプリケーションの呼出メニュー項目を含むメニュー画像を重畳して表示し、
前記生成手段は、
前記連携元アプリケーションの表示画面に関する第１の画像であって、前記メニュー画像を含む第１の画像と、
前記連携元アプリケーションの表示画面に関する第２の画像であって、前記メニュー画像の重畳表示前の前記文書内容表示画像を有し且つ前記メニュー画像を有しない第２の画像と、
の両画像を前記背景用画像の候補として生成し、
前記表示手段は、前記連携先アプリケーションの起動に際して前記連携元アプリケーションから前記連携先アプリケーションに渡された前記両画像のうち、前記背景用画像として前記連携先アプリケーションによって選択された画像を前記連携先アプリケーションの前記主表示領域の周辺領域に表示することを特徴とする携帯情報端末。
【請求項６】
請求項１に記載の携帯情報端末において、
前記生成手段は、前記表示手段における横方向表示向けの第１の画像と前記表示手段における縦方向表示向けの第２の画像との両画像を前記背景用画像の候補として生成し、前記連携先アプリケーションの起動に際して前記連携元アプリケーションから前記連携先アプリケーションに前記両画像を引き渡し、
前記表示手段は、
前記連携先アプリケーションの起動後に前記表示手段にて横方向表示が行われるときには、前記第１の画像を前記背景用画像として利用し、
前記連携先アプリケーションの起動後に前記表示手段にて縦方向表示が行われるときには、前記第２の画像を前記背景用画像として利用することを特徴とする携帯情報端末。
【請求項７】
複数のアプリケーションの表示画面のうち単一のアプリケーションに基づく表示画面を選択的に表示可能な携帯情報端末にて実行されるプログラムであって、
ａ）前記プログラムである連携元アプリケーションにおける表示画面を前記携帯情報端末の表示部に表示するステップと、
ｂ）前記連携元アプリケーションに連携する連携先アプリケーションを起動すべき旨の起動指示に基づいて、前記連携元アプリケーションの表示画面をキャプチャすることにより前記連携先アプリケーション向けの背景用画像を生成するステップと、
ｃ）前記連携元アプリケーションの表示画面の全表示領域よりも小さな表示領域を主表示領域として有する前記連携先アプリケーションの起動に際して、前記連携先アプリケーションの前記主表示領域の周辺領域に合成表示される合成用画像として、前記背景用画像を前記連携先アプリケーションに渡すステップと、
を備えるプログラム。
【請求項８】
請求項７に記載のプログラムにおいて、
前記ステップａ）においては、前記連携元アプリケーションの実行中且つ前記連携先アプリケーションの起動直前において、アプリケーションの呼出メニュー項目を含むメニュー画像が前記連携元アプリケーションの表示画面内に表示され、
前記ステップｂ）においては、前記メニュー画像を有する画像が前記背景用画像として生成されることを特徴とするプログラム。
【請求項９】
請求項８に記載ののプログラムにおいて、
前記ステップｂ）においては、前記呼出メニュー項目の被選択状態が示された前記メニュー画像を有する画像が、前記背景用画像として生成されることを特徴とするプログラム。
【請求項１０】
請求項７に記載のプログラムにおいて、
前記連携元アプリケーションは、文書内容閲覧機能を有し、
前記ステップａ）においては、前記連携元アプリケーションの文書内容閲覧機能の実行中且つ前記連携先アプリケーションの起動直前において、前記連携元アプリケーションにおける文書内容表示画像に対して、アプリケーションの呼出メニュー項目を含むメニュー画像が重畳して表示され、
前記ステップｂ）においては、前記メニュー画像の重畳表示前の前記文書内容表示画像を有する画像であって前記メニュー画像を有しない画像が、前記背景用画像として生成されることを特徴とするプログラム。
【請求項１１】
複数のアプリケーションの表示画面のうち単一のアプリケーションに基づく表示画面を選択的に表示可能な携帯情報端末にて実行されるプログラムであって、
ａ）前記プログラムと連携し且つ前記プログラムとは別のプログラムである連携元アプリケーションにおける表示画面をキャプチャすることにより前記プログラム向けに生成された背景用画像を、連携先アプリケーションである前記プログラムの起動に際して前記連携元アプリケーションから受け取るステップと、
ｂ）前記連携元アプリケーションの表示画面の全表示領域よりも小さな表示領域を主表示領域として有する前記プログラムの起動後において、前記プログラムの前記主表示領域の周辺領域に前記背景用画像を表示するステップと、
を備えるプログラム。
【請求項１２】
請求項１１に記載のプログラムにおいて、
前記ステップａ）は、
ａ−１）前記連携元アプリケーションの表示画面に関する複数の画像を前記背景用画像の候補として受け取るステップ、
を有し、
前記複数の画像は、
前記連携元アプリケーションの実行中において、前記連携元アプリケーションにおける文書内容表示画像に対して、アプリケーションの呼出メニュー項目を含むメニュー画像が重畳して表示されていた表示画面に関する第１の画像と、
前記連携元アプリケーションの実行中において前記メニュー画像が重畳表示される前に表示されていた前記文書内容表示画像を有する第２の画像であって前記メニュー画像を有しない第２の画像と、
を有し、
前記ステップｂ）においては、前記複数の画像のうち、前記背景用画像として前記連携先アプリケーションによって選択された画像が、前記連携先アプリケーションの前記主表示領域の周辺領域に表示されることを特徴とするプログラム。
【請求項１３】
請求項１１に記載のプログラムにおいて、
前記ステップａ）においては、
ａ−１）前記連携元アプリケーションの表示画面に関する複数の画像を前記背景用画像の候補として受け取るステップ、
を有し、
前記複数の画像は、
前記連携元アプリケーションの横方向表示時の表示画面に関する第１の画像と、
前記連携元アプリケーションの縦方向表示時の表示画面に関する第２の画像と、
を有し、
前記ステップｂ）においては、
前記連携先アプリケーションにて横方向表示が行われるときには、前記複数の画像のうち前記第１の画像が前記背景用画像として利用され、
前記連携先アプリケーションにて縦方向表示が行われるときには、前記複数の画像のうち前記第２の画像が前記背景用画像として利用されることを特徴とするプログラム。
【発明の詳細な説明】
【技術分野】
【０００１】
本発明は、携帯情報端末（タブレット型端末およびスマートフォン等を含む）、ならびにそれに関連する技術に関する。
【背景技術】
【０００２】
複数のアプリケーションプログラム（以下、単にアプリケーションとも称する）が連携して動作する技術が存在する（特許文献１参照）。
【０００３】
たとえば、特許文献１には、携帯電話で実行される複数のアプリケーションにおいて、画像データを共有して連携動作を行う技術が記載されている。より詳細には、「アンドロイド（Ａｎｄｒｏｉｄ（商標））ＯＳ」上で動作する２つのアプリケーション（スキャン／印刷アプリケーション、およびギャラリーアプリケーション（画像閲覧アプリケーション））が、画像データを共有する技術が記載されている。
【先行技術文献】
【特許文献】
【０００４】
【特許文献１】特開２０１２−２１２３４８号公報
【発明の概要】
【発明が解決しようとする課題】
【０００５】
ところで、携帯情報端末（タブレット型端末等）は比較的小さな表示部を有していることなどに起因して、携帯情報端末においては、基本的には、複数のアプリケーションのうち、アクティブ状態を有するアプリケーションは、１つのみである。換言すれば、携帯情報端末においては、複数のアプリケーションの表示画面のうち単一のアプリケーションの管理下の表示画面のみが選択的に（排他的に）表示される。
【０００６】
また、このような携帯情報端末において複数のアプリケーションが連携して動作する際には、連携元アプリケーションの表示画面は表示部（タッチパネル等）の全体を用いて表示される一方で、連携先アプリケーションの表示画面は当該表示部の一部分のみを用いて表示されることがある。たとえば、連携先アプリケーションにおいて、表示部の横方向において１／２（２分の１）〜１／３（３分の１）程度の大きさを有し且つ縦方向においても若干小さな画像（画面全体の数分の１程度の大きさを有する画像）が表示部の一部にのみ表示されることがある（図１５参照）。このような表示は、画面デザインの統一性等を考慮して行われ得る。より詳細には、連携元アプリケーションの表示画面内の一部の画面（小画面）のデザインに類似するデザインの画面（設定画面等）が連携先アプリケーションでも利用されることがある。このような場合、連携元アプリケーションで利用される小画面と同じサイズの画面（比較的小さな画面）が、連携先アプリケーションの主要な表示画面として利用される。
【０００７】
このような技術においては、たとえば、連携先アプリケーションの主要な表示画面が携帯情報端末の表示部の全画面内の比較的小さな領域（一部の領域）に表示されるとともに、当該一部の領域の周辺領域には黒色の背景画像が表示される（図１５参照）。
【０００８】
しかしながら、このような単色の黒色画面が表示されるときには、無味乾燥な印象をユーザが受けるのみならず、２つのアプリケーションの連携性はユーザに十分には伝達されない。
【０００９】
そこで、この発明は、２つのアプリケーションの連携性をユーザに理解し易く提示することが可能な技術を提供することを課題とする。
【課題を解決するための手段】
【００１０】
上記課題を解決すべく、請求項１の発明は、複数のアプリケーションの表示画面のうち単一のアプリケーションに基づく表示画面を選択的に表示可能な携帯情報端末であって、連携元アプリケーションの表示画面を表示する表示手段と、前記連携元アプリケーションに連携する連携先アプリケーションを起動すべき旨の起動指示を受け付ける受付手段と、前記起動指示に基づいて、前記連携元アプリケーションの表示画面をキャプチャすることにより前記連携先アプリケーション向けの背景用画像を生成する生成手段と、を備え、前記連携先アプリケーションは、前記連携元アプリケーションの表示画面の全表示領域よりも小さな表示領域を主表示領域として有し、前記表示手段は、前記連携先アプリケーションの起動に際して前記連携元アプリケーションから前記連携先アプリケーションに渡された前記背景用画像を、前記連携先アプリケーションの起動後において前記連携先アプリケーションの前記主表示領域の周辺領域に表示することを特徴とする。
【００１１】
請求項２の発明は、請求項１の発明に係る携帯情報端末において、前記表示手段は、前記連携元アプリケーションの実行中且つ前記連携先アプリケーションの起動直前において、アプリケーションの呼出メニュー項目を含むメニュー画像を、前記連携元アプリケーションの表示画面内に表示し、前記生成手段は、前記メニュー画像を有する画像を前記背景用画像として生成し、前記表示手段は、前記連携先アプリケーションの起動後において、前記背景用画像を前記連携先アプリケーションの前記主表示領域の周辺領域に表示することを特徴とする。
【００１２】
請求項３の発明は、請求項２の発明に係る携帯情報端末において、前記生成手段は、前記呼出メニュー項目の被選択状態が示された前記メニュー画像を有する画像を、前記背景用画像として生成し、前記表示手段は、前記連携先アプリケーションの起動後において、前記背景用画像を前記連携先アプリケーションの前記主表示領域の周辺領域に表示することを特徴とする。
【００１３】
請求項４の発明は、請求項１の発明に係る携帯情報端末において、前記連携元アプリケーションは、文書内容閲覧機能を有し、前記表示手段は、前記連携元アプリケーションの文書内容閲覧機能の実行中且つ前記連携先アプリケーションの起動直前において、前記連携元アプリケーションにおける文書内容表示画像に対して、アプリケーションの呼出メニュー項目を含むメニュー画像を重畳して表示し、前記生成手段は、前記メニュー画像の重畳表示前の前記文書内容表示画像を有する画像であって前記メニュー画像を有しない画像を、前記背景用画像として生成し、前記表示手段は、前記連携先アプリケーションの起動後において、前記背景用画像を前記連携先アプリケーションの前記主表示領域の周辺領域に表示することを特徴とする。
【００１４】
請求項５の発明は、請求項１の発明に係る携帯情報端末において、前記連携元アプリケーションは、文書内容閲覧機能を有し、前記表示手段は、前記連携元アプリケーションの文書内容閲覧機能の実行中且つ前記連携先アプリケーションの起動直前において、前記連携元アプリケーションにおける文書内容表示画像に対して、アプリケーションの呼出メニュー項目を含むメニュー画像を重畳して表示し、前記生成手段は、前記連携元アプリケーションの表示画面に関する第１の画像であって、前記メニュー画像を含む第１の画像と、前記連携元アプリケーションの表示画面に関する第２の画像であって、前記メニュー画像の重畳表示前の前記文書内容表示画像を有し且つ前記メニュー画像を有しない第２の画像と、の両画像を前記背景用画像の候補として生成し、前記表示手段は、前記連携先アプリケーションの起動に際して前記連携元アプリケーションから前記連携先アプリケーションに渡された前記両画像のうち、前記背景用画像として前記連携先アプリケーションによって選択された画像を前記連携先アプリケーションの前記主表示領域の周辺領域に表示することを特徴とする。
【００１５】
請求項６の発明は、請求項１の発明に係る携帯情報端末において、前記生成手段は、前記表示手段における横方向表示向けの第１の画像と前記表示手段における縦方向表示向けの第２の画像との両画像を前記背景用画像の候補として生成し、前記連携先アプリケーションの起動に際して前記連携元アプリケーションから前記連携先アプリケーションに前記両画像を引き渡し、前記表示手段は、前記連携先アプリケーションの起動後に前記表示手段にて横方向表示が行われるときには、前記第１の画像を前記背景用画像として利用し、前記連携先アプリケーションの起動後に前記表示手段にて縦方向表示が行われるときには、前記第２の画像を前記背景用画像として利用することを特徴とする。
【００１６】
請求項７の発明は、複数のアプリケーションの表示画面のうち単一のアプリケーションに基づく表示画面を選択的に表示可能な携帯情報端末にて実行されるプログラムであって、ａ）前記プログラムである連携元アプリケーションにおける表示画面を前記携帯情報端末の表示部に表示するステップと、ｂ）前記連携元アプリケーションに連携する連携先アプリケーションを起動すべき旨の起動指示に基づいて、前記連携元アプリケーションの表示画面をキャプチャすることにより前記連携先アプリケーション向けの背景用画像を生成するステップと、ｃ）前記連携元アプリケーションの表示画面の全表示領域よりも小さな表示領域を主表示領域として有する前記連携先アプリケーションの起動に際して、前記連携先アプリケーションの前記主表示領域の周辺領域に合成表示される合成用画像として、前記背景用画像を前記連携先アプリケーションに渡すステップと、を備えるプログラムであることを特徴とする。
【００１７】
請求項８の発明は、請求項７の発明に係るプログラムにおいて、前記ステップａ）においては、前記連携元アプリケーションの実行中且つ前記連携先アプリケーションの起動直前において、アプリケーションの呼出メニュー項目を含むメニュー画像が前記連携元アプリケーションの表示画面内に表示され、前記ステップｂ）においては、前記メニュー画像を有する画像が前記背景用画像として生成されることを特徴とする。
【００１８】
請求項９の発明は、請求項８の発明に係るのプログラムにおいて、前記ステップｂ）においては、前記呼出メニュー項目の被選択状態が示された前記メニュー画像を有する画像が、前記背景用画像として生成されることを特徴とする。
【００１９】
請求項１０の発明は、請求項７の発明に係るプログラムにおいて、前記連携元アプリケーションは、文書内容閲覧機能を有し、前記ステップａ）においては、前記連携元アプリケーションの文書内容閲覧機能の実行中且つ前記連携先アプリケーションの起動直前において、前記連携元アプリケーションにおける文書内容表示画像に対して、アプリケーションの呼出メニュー項目を含むメニュー画像が重畳して表示され、前記ステップｂ）においては、前記メニュー画像の重畳表示前の前記文書内容表示画像を有する画像であって前記メニュー画像を有しない画像が、前記背景用画像として生成されることを特徴とする。
【００２０】
請求項１１の発明は、複数のアプリケーションの表示画面のうち単一のアプリケーションに基づく表示画面を選択的に表示可能な携帯情報端末にて実行されるプログラムであって、ａ）前記プログラムと連携し且つ前記プログラムとは別のプログラムである連携元アプリケーションにおける表示画面をキャプチャすることにより前記プログラム向けに生成された背景用画像を、連携先アプリケーションである前記プログラムの起動に際して前記連携元アプリケーションから受け取るステップと、ｂ）前記連携元アプリケーションの表示画面の全表示領域よりも小さな表示領域を主表示領域として有する前記プログラムの起動後において、前記プログラムの前記主表示領域の周辺領域に前記背景用画像を表示するステップと、を備えるプログラムであることを特徴とする。
【００２１】
請求項１２の発明は、請求項１１の発明に係るプログラムにおいて、前記ステップａ）は、ａ−１）前記連携元アプリケーションの表示画面に関する複数の画像を前記背景用画像の候補として受け取るステップ、を有し、前記複数の画像は、前記連携元アプリケーションの実行中において、前記連携元アプリケーションにおける文書内容表示画像に対して、アプリケーションの呼出メニュー項目を含むメニュー画像が重畳して表示されていた表示画面に関する第１の画像と、前記連携元アプリケーションの実行中において前記メニュー画像が重畳表示される前に表示されていた前記文書内容表示画像を有する第２の画像であって前記メニュー画像を有しない第２の画像と、を有し、前記ステップｂ）においては、前記複数の画像のうち、前記背景用画像として前記連携先アプリケーションによって選択された画像が、前記連携先アプリケーションの前記主表示領域の周辺領域に表示されることを特徴とする。
【００２２】
請求項１３の発明は、請求項１１の発明に係るプログラムにおいて、前記ステップａ）においては、ａ−１）前記連携元アプリケーションの表示画面に関する複数の画像を前記背景用画像の候補として受け取るステップ、を有し、前記複数の画像は、前記連携元アプリケーションの横方向表示時の表示画面に関する第１の画像と、前記連携元アプリケーションの縦方向表示時の表示画面に関する第２の画像と、を有し、前記ステップｂ）においては、前記連携先アプリケーションにて横方向表示が行われるときには、前記複数の画像のうち前記第１の画像が前記背景用画像として利用され、前記連携先アプリケーションにて縦方向表示が行われるときには、前記複数の画像のうち前記第２の画像が前記背景用画像として利用されることを特徴とする。
【発明の効果】
【００２３】
請求項１ないし請求項６に記載の発明によれば、連携元アプリケーションの表示画面をキャプチャすることにより生成され連携元アプリケーションから連携先アプリケーションに渡された背景用画像が、連携先アプリケーションの起動後において連携先アプリケーションの主表示領域の周辺領域に表示されるので、連携先アプリケーションと連携元アプリケーションとの連携性をユーザに理解し易く提示することが可能である。
【００２４】
特に、請求項２に記載の発明によれば、呼出メニュー項目を含むメニュー画像を有する画像が背景用画像として生成されるので、２つのアプリケーションの連携性をより判り易く提示することが可能である。
【００２５】
また特に、請求項３に記載の発明によれば、呼出メニュー項目の被選択状態が示されたメニュー画像を有する画像が背景用画像として生成されるので、２つのアプリケーションの連携性をさらに判り易く提示することが可能である。
【００２６】
また特に、請求項４に記載の発明によれば、メニュー画像の重畳表示前の文書内容表示画像を有する画像であってメニュー画像を有しない画像が背景用画像として生成されるので、連携先アプリケーションにおいて、文書内容表示領域の内容が、メニュー画面で隠されることなく、判り易く表示され得る。
【００２７】
また特に、請求項５に記載の発明によれば、連携先アプリケーションにおいて、連携先アプリケーションの選択に応じた適宜の背景用画像を表示することが可能である。
【００２８】
また特に、請求項６に記載の発明によれば、連携先アプリケーションにおいて、携帯情報端末の表示方向に応じた適宜の背景用画像を表示することが可能である。
【００２９】
請求項７ないし請求項１０に記載の発明によれば、連携元アプリケーションの表示画面をキャプチャすることにより生成された連携先アプリケーション向けの背景用画像が、連携先アプリケーションの主表示領域の周辺領域に合成表示される合成用画像として連携先アプリケーションに渡されるので、連携先アプリケーションにおいて２つのアプリケーションの連携性をユーザに理解し易く提示することが可能である。
【００３０】
特に、請求項８に記載の発明によれば、呼出メニュー項目を含むメニュー画像を有する画像が背景用画像として生成されるので、連携先アプリケーションにおいて２つのアプリケーションの連携性をさらに判り易く提示することが可能である。
【００３１】
また特に、請求項９に記載の発明によれば、呼出メニュー項目の被選択状態が示されたメニュー画像を有する画像が背景用画像として生成されるので、連携先アプリケーションにおいて２つのアプリケーションの連携性をさらに判り易く提示することが可能である。
【００３２】
また特に、請求項１０に記載の発明によれば、メニュー画像の重畳表示前の文書内容表示画像を有する画像であってメニュー画像を有しない画像が背景用画像として生成されるので、連携先アプリケーションにおいて、文書内容表示領域の内容が、メニュー画面で隠されることなく、判り易く表示され得る。
【００３３】
請求項１１ないし請求項１３に記載の発明によれば、連携元アプリケーションにおける表示画面をキャプチャすることにより生成された背景用画像が連携元アプリケーションから渡され、連携先アプリケーションの起動後において主表示領域の周辺領域に背景用画像が表示されるので、連携先アプリケーションにおいて２つのアプリケーションの連携性をユーザに理解し易く提示することが可能である。
【００３４】
特に、請求項１２に記載の発明によれば、連携先アプリケーションにおいて、連携先アプリケーションの選択に応じた適宜の背景用画像を表示することが可能である。
【００３５】
また特に、請求項１３に記載の発明によれば、連携先アプリケーションにおいて、携帯情報端末の表示方向に応じた適宜の背景用画像を表示することが可能である。
【図面の簡単な説明】
【００３６】
【図１】第１実施形態に係る画像形成システム１の概要を示す概念図である。
【図２】ＭＦＰの概略構成を示すブ機能ロック図である。
【図３】携帯情報端末の概略構成を示す機能ブロック図である。
【図４】携帯情報端末の動作を示すフローチャートである。
【図５】電子文書閲覧アプリケーション（連携元アプリケーション）の表示画面を示す図である。
【図６】電子文書閲覧アプリケーション（連携元アプリケーション）の表示画面を示す図である。
【図７】連携先アプリケーションの表示画面を示す図である。
【図８】第２実施形態に係る連携先アプリケーションの表示画面を示す図である。
【図９】第２実施形態に係る動作を示すフローチャートである。
【図１０】第３実施形態に係る動作を示すフローチャートである。
【図１１】縦方向表示に対応するキャプチャ画像を示す図である。
【図１２】連携先アプリケーションの縦方向表示用の起動画面を示す図である。
【図１３】第４実施形態に係る動作を示すフローチャートである。
【図１４】変形例に係る表示画面を示す図である。
【図１５】比較例に係る表示画面（連携先アプリケーションの表示画面）を示す図である。
【発明を実施するための形態】
【００３７】
以下、本発明の実施形態を図面に基づいて説明する。
【００３８】
＜１．第１実施形態＞
＜１−１．システム概要＞
図１は、画像形成システム１の概要を示す概念図である。
【００３９】
図１に示すように、画像形成システム１は、画像形成装置１０と携帯情報端末７０とを備えている。ここでは、画像形成装置１０として、ＭＦＰ（マルチ・ファンクション・ペリフェラル（Multi-Functional Peripheral））が例示されている。
【００４０】
この画像形成システム１は、サーバコンピュータ３０をさらに備えている。コンピュータ３０は、プリントサーバ機能を有するサーバコンピュータである。コンピュータ３０は、プルプリントサーバ機能をも有している。コンピュータ３０は、「プリントサーバ」、「プルプリントサーバ」あるいは単に「サーバ」などとも称される。
【００４１】
ＭＦＰ１０とサーバ３０と携帯情報端末７０とは、ネットワーク１０８を介して接続されており、ネットワーク通信を実行することが可能である。なお、ネットワーク１０８は、ＬＡＮ、ＷＡＮ、インターネットなどによって構成される。また、ネットワーク１０８への接続形態は、有線接続であってもよく或いは無線接続であってもよい。
【００４２】
この画像形成システム１は、いわゆるプルプリント動作を行うプルプリントシステムとして機能する。このプルプリントシステムにおいては、まず、携帯情報端末７０（印刷依頼元装置）を用いてユーザによるプリント指示がなされた後、携帯情報端末７０からサーバ（プルプリントサーバ）３０に印刷データが転送され、当該印刷データがサーバ３０の格納部３５（プルプリント用格納領域（後述））等に一旦蓄積される。その後、今度は印刷出力装置（ＭＦＰ１０等）の操作入力部等を用いたユーザ認証操作を経て、サーバ３０から印刷データが取得（プル）され印刷出力装置による印刷出力（プリント）が行われる。
【００４３】
この画像形成システム１においては、通常のプリント動作に加えて、上述のプルプリント動作が実行される。
【００４４】
＜１−２．ＭＦＰの構成＞
図２は、ＭＦＰ１０の概略構成を示す機能ブロック図である。
【００４５】
図２の機能ブロック図に示すように、このＭＦＰ１０は、画像読取部２、印刷出力部３、通信部４、格納部５、入出力部６およびコントローラ９等を備えており、これらの各部を複合的に動作させることによって、各種の機能を実現する。なお、ＭＦＰ１０は、画像形成装置あるいは印刷出力装置などとも表現される。
【００４６】
画像読取部２は、ＭＦＰ１０の所定の位置に載置された原稿を光学的に読み取って（すなわちスキャンして）、当該原稿の画像データ（原稿画像なしいスキャン画像とも称する）を生成する処理部である。この画像読取部２は、スキャン部であるとも称される。
【００４７】
印刷出力部３は、印刷対象に関するデータに基づいて紙などの各種の媒体に画像を印刷出力する出力部である。
【００４８】
通信部４は、公衆回線等を介したファクシミリ通信を行うことが可能な処理部である。さらに、通信部４は、ネットワーク１０８を介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用される。当該ネットワーク通信を利用することによって、ＭＦＰ１０は、所望の相手先との間で各種のデータを授受することが可能である。
【００４９】
格納部５は、ハードディスクドライブ（ＨＤＤ）等の記憶装置で構成される。
【００５０】
入出力部６は、ＭＦＰ１０に対する入力を受け付ける操作入力部６ａと、各種情報の表示出力を行う表示部６ｂとを備えている。詳細には、ＭＦＰ１０には操作パネル６ｃ（図１参照）が設けられている。この操作パネル（タッチスクリーン）６ｃは、液晶表示パネルに圧電センサ等が埋め込まれて構成されており、表示部６ｂの一部として機能するとともに、操作入力部６ａの一部としても機能する。
【００５１】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラムは、ＵＳＢメモリなどの可搬性の記録媒体、あるいはネットワーク等を介してＭＦＰ１０にインストールされるようにしてもよい。
【００５２】
図２に示すように、コントローラ９は、入力制御部１１と表示制御部１２と通信制御部１３と認証処理部１４とジョブ処理部１５とを含む各種の処理部を実現する。
【００５３】
入力制御部１１は、入出力部６（操作パネル６ｃ等）と協働して、ユーザからの入力（操作入力）等を受け付ける処理部である。入力制御部１１は、サーバ３０に格納された印刷データの印刷出力指示（プルプリント操作）等を受け付ける。
【００５４】
表示制御部１２は、表示部６ｂ（操作パネル６ｃ等）における表示出力動作等を制御する処理部である。
【００５５】
通信制御部１３は、通信部４と協働して、外部機器との通信を行う処理部である。
【００５６】
認証処理部１４は、ユーザの認証動作を行う処理部である。
【００５７】
ジョブ処理部１５は、各種ジョブに関する処理（たとえば印刷出力部３の印刷出力処理等）を制御する処理部である。
【００５８】
＜１−３．携帯情報端末７０の構成＞
次に携帯情報端末７０の構成について説明する。
【００５９】
携帯情報端末７０は、他の装置との間でのネットワーク通信が可能な携帯式の情報入出力端末装置である。携帯情報端末７０としては、タブレット型端末およびスマートフォンなどが例示される。携帯情報端末７０は、単に携帯端末などとも称される。
【００６０】
図３は、携帯情報端末７０の概略構成を示す機能ブロック図である。
【００６１】
携帯情報端末７０は、図３の機能ブロック図に示すように、通信部７４、格納部７５、入出力部７６およびコントローラ７９等を備えており、これらの各部を複合的に動作させることによって、各種の機能を実現する。
【００６２】
通信部７４は、ネットワーク１０８を介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、携帯情報端末７０は、所望の相手先との間で各種のデータを授受することが可能である。
【００６３】
入出力部７６は、携帯情報端末７０に対する入力を受け付ける操作入力部７６ａと、各種情報の表示出力を行う表示部７６ｂとを備えている。この携帯情報端末７０においては、液晶表示パネルに圧電センサ等が埋め込まれて構成されたタッチスクリーン７６ｃ（図１参照）が設けられている。このタッチスクリーン７６ｃは、操作入力部７６ａの一部としても機能するとともに、表示部７６ｂの一部としても機能する。
【００６４】
コントローラ７９は、そのＣＰＵにおいて、格納部７５内に格納されているプログラムを実行することによって、各種の処理部を実現する。
【００６５】
より詳細には、携帯情報端末７０には所定のＯＳ（オペレーティングシステム）（たとえば「アンドロイド（ＯＳ）」（商標）あるいは「ｉＯＳ」（商標）などのＯＳ）が搭載されており、複数のアプリケーションソフトウエアプログラム（アプリケーションなどとも称する）を当該ＯＳ上で実行することが可能である。
【００６６】
この携帯情報端末７０のＯＳにおいては、基本的には、複数のアプリケーションのうち単一のアプリケーションのみがアクティブ状態にされて動作する。すなわち、複数のアプリケーションは排他的にアクティブ状態を有する。また、複数のアプリケーションのうち単一のアプリケーションの管理下の表示画面のみが選択的に（排他的に）タッチスクリーン７６ｃに表示される。端的に言えば、複数のアプリケーションのうち、（アクティブ状態の）単一のアプリケーションのみの表示画面がタッチスクリーン７６ｃに表示される。
【００６７】
これらの複数のアプリケーションプログラムの中には、電子文書閲覧アプリケーション２０１および印刷管理アプリケーション２０２などが含まれる。電子文書閲覧アプリケーション２０１は、複数の電子文書を閲覧可能なアプリケーションであり、印刷管理アプリケーション２０２は、当該複数の電子文書等の印刷動作（プルプリント動作等を含む）を管理するアプリケーションである。これらのアプリケーション２０１，２０２は連携して動作する。具体的には、電子文書閲覧アプリケーション２０１を用いて特定された電子文書について、印刷管理アプリケーション２０２を用いてプルプリント動作（より詳細には、サーバ３０への印刷データの格納動作）が行われる。電子文書閲覧アプリケーション２０１は、連携元アプリケーションの一例であり、印刷管理アプリケーション２０２は、連携先アプリケーションの一例である。
【００６８】
携帯情報端末７０は、電子文書閲覧アプリケーション２０１を実行することによって、複数の電子文書を表示することができる。また、印刷管理アプリケーション２０２を実行することによって、電子文書閲覧アプリケーション２０１で選択した電子文書に関するプルプリント動作（詳細にはその一部の動作）を実現することができる。より詳細には、印刷管理アプリケーション２０２を用いることによって、プルプリント動作のうち、プルプリント用印刷データの転送格納動作（印刷データを携帯情報端末７０からサーバ３０に転送して当該印刷データをサーバ３０に一旦格納しておく動作）が行われる。
【００６９】
これらのアプリケーション２０１，２０２の実行によって、図３に示すように、コントローラ７９は、入力制御部８１と表示制御部８２と通信制御部８３と画像生成部８５とを含む各種の処理部を実現する。
【００７０】
入力制御部８１は、入出力部７６（タッチスクリーン７６ｃ等）と協働して、ユーザからの携帯情報端末７０に対する入力（操作入力）を受け付ける処理部である。
【００７１】
表示制御部８２は、表示部７６ｂ（タッチスクリーン７６ｃ等）における表示出力動作等を制御する処理部である。
【００７２】
通信制御部８３は、通信部７４と協働して、外部機器との通信を行う処理部である。
【００７３】
画像生成部８５は、連携元アプリケーション２０１におけるキャプチャ画像の生成動作等を行う処理部である。後述するように、連携元アプリケーション２０１と連携する連携先アプリケーション２０２は、当該キャプチャ画像等を利用した表示画面を表示制御部８２等の制御下でタッチスクリーン７６ｃに表示する。
【００７４】
＜１−４．サーバの構成＞
サーバ３０は、コンピュータシステム（コンピュータ）として構成される。
【００７５】
このサーバ３０は、格納部３５を有している（図１参照）。格納部３５は、プルプリント用の印刷データを格納するプルプリント用格納領域を有している。携帯情報端末７０からサーバ３０に送信されたプルプリント用の印刷データは、格納部３５（詳細にはそのプルプリント用格納領域）に格納される。そして、格納部３５に格納された印刷データは、ＭＦＰ１０の操作パネル６ｃ等を介した操作入力（認証情報の入力等）に応じて、当該サーバ３０の格納部３５からＭＦＰ１０に転送される。これにより、ＭＦＰ１０において、印刷データに基づく印刷出力動作（プルプリント動作）が実行される。
【００７６】
＜１−５．動作＞
つぎに、このシステム１の動作、特に携帯情報端末７０の動作について、図４等を参照しながら説明する。図４は、携帯情報端末７０の動作を示すフローチャートである。
【００７７】
まず、ユーザの起動操作に応じて、携帯情報端末７０において電子文書閲覧アプリケーション２０１が起動される（ステップＳ１１）。当該アプリケーション２０１は、電子文書の文書内容閲覧機能（プレビュー機能）を有している。詳細には、当該アプリケーション２０１は、複数の電子文書のうちの一の文書の内容を選択的に表示することが可能である。
【００７８】
図５は、電子文書閲覧アプリケーション２０１の表示画面２１０（２１１）を示す図である。図５においては、電子文書閲覧アプリケーション２０１の起動直後にタッチスクリーン７６ｃに表示された表示画面２１０が示されている。図５に示すように、電子文書閲覧アプリケーション２０１の表示画面２１０は、タッチスクリーン７６ｃの全体に亘って表示される。
【００７９】
図５に示すように、電子文書閲覧アプリケーション２０１の表示画面２１０内の左側には文書選択領域３０１が設けられており、当該表示画面２１０内の中央から右側に亘る部分には文書閲覧領域（文書内容表示領域あるいはプレビュー領域とも称する）３０２が設けられている。文書選択領域３０１には、携帯情報端末７０内に格納された複数の文書の文書名が列挙されている。当該複数の文書のそれぞれに対応する複数の項目（３１１，３１２，３１３等）の中からユーザが所望の文書に対応する項目（たとえば項目３１２）を選択すると、選択された文書（被選択文書）の内容が文書閲覧領域３０２にて表示される。図５では、文書選択領域３０１にて文書「ＡＢＣ．ｐｄｆ」（項目３１２）がユーザによって選択され、当該被選択文書「ＡＢＣ．ｐｄｆ」の内容が文書閲覧領域３０２にて表示された様子が示されている。
【００８０】
この表示画面２１０内には、アクションメニュー表示ボタン３２１も設けられている。ユーザがアクションメニュー表示ボタン３２１を押下すると、電子文書閲覧アプリケーション２０１は、図６のような表示画面２１０（２１２）をタッチスクリーン７６ｃに表示する（ステップＳ１２）。図６に示すように、この表示画面２１２は、表示画面２１１（図５）においてアクションメニュー３３０がポップアップ表示された画面である。なお、表示画面２１０内におけるアクションメニュー３３０の表示位置は、連携元アプリケーション２０１によって適宜決定される。
【００８１】
アクションメニュー３３０は、複数のメニュー項目（「新規フォルダ」、「連携アプリ起動」、「オンライン（ストレージ）転送」、「メール」、...、「削除」、「印刷」）を含むメニュー画面（メニュー画像）である。当該複数のメニュー項目の中には、メニュー項目３３２「連携アプリ起動」が含まれる。このメニュー項目３３２は、連携先のアプリケーションを（呼び出して）起動すべき旨の起動指示を付与するためのメニュー項目である。
【００８２】
このように、連携元アプリケーション２０１の実行中（且つ連携先アプリケーション２０２の起動直前）において、アプリケーションの呼出メニュー項目を含むメニュー画像（アクションメニュー３３０）が、連携元アプリケーション２０１の表示画面２１０内に表示される。
【００８３】
次に、アクションメニュー３３０内のメニュー項目３３２「連携アプリ起動」がユーザによって押下されると、連携先のアプリケーションである印刷管理アプリケーション２０２が起動する。換言すれば、連携元アプリケーション２０１に連携する連携先アプリケーション）が、連携元アプリケーション２０１に呼び出されて起動する。
【００８４】
連携先アプリケーション２０２は、連携元アプリケーション２０１の表示画面の全表示領域よりも小さな表示領域を「主表示領域」（３６０）として有する。主表示領域３６０は、タッチスクリーン７６ｃの一部分において表示される。連携先アプリケーション２０２に関する操作は、この主表示領域３６０を主に用いて行われる。
【００８５】
ここにおいて、仮にプリント対象文書のデータのみを連携先のアプリケーション２０２に渡して当該アプリケーション２０２を起動する技術（比較例に係る技術とも称する）を想定する。この比較例に係る技術においては、たとえば図１５に示すような表示画面９００がタッチスクリーン７６ｃに表示される。図１５は、このような比較例に係る連携先アプリケーションの表示画面９００を示す図である。図１５の表示画面９００においては、主表示領域３６０の周辺領域に、黒色の背景画像が合成されて表示されている。
【００８６】
しかしながら、このような単色の黒色画面が表示されるときには、２つのアプリケーションの連携性はユーザに十分には伝達されない。
【００８７】
これに対して、この実施形態においては、図７の表示画面（起動画面）５１０（後述）がタッチスクリーン７６ｃに表示される。これによれば、連携元アプリケーション２０１と連携先アプリケーション２０２とが連携していることを判り易く示すことが可能である。
【００８８】
このような動作について詳細に説明する。アクションメニュー３３０のメニュー項目３３２「連携アプリ起動」がユーザによって押下されて連携先アプリケーション２０２の起動指示（呼出指示）が付与されると、当該起動指示が操作入力部７６ａを介して入力制御部８１および連携元アプリケーション２０１等によって受け付けられる（ステップＳ１３。そして、ステップＳ１４に進む。
【００８９】
ステップＳ１４において、連携元アプリケーション２０１（画像生成部８５）は、その時点（起動指示時点）でタッチスクリーン７６ｃに表示されている表示画面２１２（図６）をキャプチャすることにより、キャプチャ画像２５１を生成する。キャプチャ画像２５１は、アクションメニュー３３０（メニュー画像）を含む画像である。詳細には、キャプチャ画像２５１は、連携元アプリケーション２０１の実行中においてアクションメニュー３３０が文書閲覧領域３０２に重畳して表示されていた表示画面２１２に関する画像である。後述するように、このキャプチャ画像２５１は、連携先アプリケーション２０２向けの背景用画像として利用される。
【００９０】
次のステップＳ１７において、連携元アプリケーション２０１は、キャプチャ画像２５１を連携先アプリケーション２０２に渡して、当該連携先アプリケーション２０２を起動する。換言すれば、連携先アプリケーション２０２の起動に際して、キャプチャ画像２５１が連携元アプリケーション２０１から連携先アプリケーション２０２に渡される。詳細には、連携先アプリケーション２０２の起動後の主表示領域３６０の周辺領域に合成表示される画像（合成用画像）として、キャプチャ画像（背景用画像）２５１が連携元アプリケーション２０１から連携先アプリケーション２０２に渡される。
【００９１】
このようなデータ（キャプチャ画像２５１等）の受け渡し等に関して、たとえば、アプリケーション２０１，２０２が「ｉＯＳ」（商標）上で動作する場合には、ＵＲＬスキーム（Uniform Resource Locator Scheme）が利用されればよい。
【００９２】
具体的には、ＵＲＬスキームにより連携先アプリケーションを指定して起動する際において、ＵＲＬスキームにおけるパラメータとして、連携先アプリケーション２０２に渡すデータ（キャプチャ画像２５１等）が指定されればよい。詳細には、このＵＲＬスキームは、「（アプリケーション名）://（パラメータ）」）の形式で記述され、たとえば、「PrintManager://MD=NML&PASTEBOARD=capture1」のように記述される。ここで「PrintManager」は、起動対象の連携先アプリケーション２０２（の名称）であり、「://」はスキーム区切り記号である。スキーム区切り記号「://」以後において、１又は複数のパラメータが指定される。たとえば連結記号「&」を挟んで２つのパラメータが指定される。上記の１つ目のパラメータ項目「MD=NML」においては、アプリケーションの動作モード「MD」の指定用パラメータとして、パラメータ値「NML」（ノーマルモードを示す）が指定されている。また、上記２つ目のパラメータ項目「PASTEBOARD=capture1」においては、ペーストボード「PASTEBOARD」の識別子の指定用パラメータとして、パラメータ変数「capture1」（イメージ画像に関するクラスの変数）が指定されている。パラメータ項目の内容として指定されたデータは、連携元アプリケーション２０１から連携先アプリケーション２０２に渡され、当該連携先アプリケーション２０２は、受け取ったデータを用いた処理を実行する。
【００９３】
ＵＲＬスキームの上記の記述例においては、パラメータ「PASTEBOARD=capture1」の指定に基づいて、「capture1」で識別されるデータ内容（画像データ）がペーストボード（クリップボード）から取得される。換言すれば、連携先アプリケーション２０２は、「capture1」で識別されるデータ内容をペーストボード経由で、連携元アプリケーション２０１から受け取る。
【００９４】
なお、他のＯＳでも各ＯＳに応じた手法によって、キャプチャ画像等が連携元アプリケーション２０１から連携先アプリケーション２０２に渡されればよい。たとえば、「アンドロイド（商標）ＯＳ」においては、明示的インテント連携処理によって、連携先アプリケーションを指定して起動することができるとともに、コンテンツプロバイダ機能によって、データを受け渡すことが可能である。また、その他のＯＳでも各ＯＳに合わせた手法によって同様の受け渡し動作が実現されればよい。
【００９５】
また、ここでは、プルプリントの対象データ（電子文書データ）の受け渡しについては、その詳細を省略しているが、同様の手法等で行われればよい。具体的には、上述したようなＵＲＬスキーム等を利用して、連携元アプリケーション２０１から連携先アプリケーション２０２へとプルプリントの対象データ（電子文書データ）が受け渡されればよい。
【００９６】
次のステップＳ２１では、ペーストボード経由で連携元アプリケーション２０１から受け取ったキャプチャ画像２５１を背景画像として利用して、連携先アプリケーション２０２が起動される。なお、この連携先アプリケーション２０２の起動直前に、連携元アプリケーション２０１はバックグラウンドでの待機状態（非アクティブ状態）に移行する。これに伴い、連携元アプリケーション２０１の表示画面２１０はタッチスクリーン７６ｃから消える。そして、当該表示画面２１０に代わって、連携先アプリケーション２０２の表示画面５１０がタッチスクリーン７６ｃに現れる。
【００９７】
図７は、連携先アプリケーション２０２の表示画面（起動画面）５１０を示す図である。連携先アプリケーション２０２の起動直後においては、図７に示すような表示画面５１０がタッチスクリーン７６ｃに表示される。
【００９８】
この表示画面５１０には、主表示領域３６０が表示される。なお、主表示領域３６０の表示画面５１０内における表示位置は、連携先アプリケーション２０２によって適宜の位置に制御される。図７では、主表示領域３６０は、表示画面５１０内にて若干右寄りの位置に表示されている。
【００９９】
また、連携先アプリケーション２０２の主表示領域３６０の周辺領域には、キャプチャ画像２５１が表示（合成表示）されている。この表示画面５１０に係る画像は、キャプチャ画像２５１に対して主表示領域３６０の画像が重畳されるように、キャプチャ画像２５１と主表示領域３６０の画像とが合成された画像である。換言すれば、連携先アプリケーション２０２の主表示領域３６０の背景画像として、キャプチャ画像２５１が用いられている。
【０１００】
そして、起動された当該連携先アプリケーション２０２を用いて、プルプリント動作のうち、プルプリント用印刷データの転送格納動作（印刷データを携帯情報端末７０からサーバ３０に転送して当該印刷データをサーバ３０に一旦格納しておく動作）が行われる。
【０１０１】
その後、ユーザは、ＭＦＰ１０（印刷出力装置）の配置場所に移動し、当該ＭＦＰ１０の操作パネル６ｃを操作してＭＦＰ１０にログインする。ＭＦＰ１０は、ログインユーザのプルプリント対象の印刷データをサーバ３０から取得（プル）し、当該印刷データに基づき印刷出力（プリント）を行う。
【０１０２】
以上のような表示動作においては、連携元アプリケーション２０１の表示画面２１２をキャプチャすることにより生成された連携先アプリケーション向けの背景用画像（キャプチャ画像２５１）が、連携先アプリケーション２０２の主表示領域３６０の周辺領域に合成表示される合成用画像として連携元アプリケーション２０１から連携先アプリケーション２０２に渡される。また、連携先アプリケーション２０２においては、連携元アプリケーション２０１から渡されたキャプチャ画像２５１が、連携先アプリケーション２０２の起動後において主表示領域３６０の周辺領域に表示（合成表示）される（図７参照）。したがって、連携元アプリケーション２０１と連携先アプリケーション２０２との連携性をユーザに理解し易く提示することが可能である。より詳細には、連携元アプリケーション２０１と連携先アプリケーション２０２とが連携していることを判り易く示すことが可能である。
【０１０３】
特に、連携先アプリケーション２０２の表示画面５１０においては、連携対象データ（プルプリント対象の文書）に関する文書名（項目３１２）および当該文書の内容（文書内容表示領域３０２）が、（部分的ではあるが）主表示領域３６０の周辺領域に表示される。したがって、連携元アプリケーション２０１と連携先アプリケーション２０２との連携動作における対象データが認識され易い。
【０１０４】
また特に、呼出メニュー項目を含むメニュー画像を有する画像が背景用画像として生成されるので、２つのアプリケーションの連携性をより判り易く提示することが可能である。
【０１０５】
詳細には、「連携アプリ起動」（呼出メニュー項目）を有するアクションメニュー３３０がキャプチャ画像２５１に含まれており、当該キャプチャ画像２５１が連携先アプリケーション２０２の主表示領域３６０の周辺領域に表示される（図７参照）。換言すれば、呼出メニュー項目を含むメニュー画像が連携先アプリケーション２０２の起動直前（且つ連携元アプリケーション２０１の実行中）に表示され、且つ当該呼出メニュー項目を含む当該メニュー画像が連携先アプリケーション２０２の起動後にも表示される。したがって、連携元アプリケーション２０１にて表示されていたアクションメニュー３３０内の呼出メニュー項目の選択に応じて連携先アプリケーション２０２が呼び出された（起動された）ことが判り易い。
【０１０６】
さらに、呼出メニュー項目の被選択状態が示されたメニュー画像を有する画像が背景用画像として生成されるので、２つのアプリケーションの連携性をさらに判り易く提示することが可能である。
【０１０７】
詳細には、アクションメニュー３３０においては、呼出メニュー項目「連携アプリ起動」が選択されている状態（被選択状態）を有することが、強調表示（たとえば、黄色表示等（図７ではハッチング表示））によって示されている。そして、連携先アプリケーション２０２の背景画像として、呼出メニュー項目「連携アプリ起動」の被選択状態が示されたアクションメニュー３３０（メニュー画像）を含むキャプチャ画像２５１が表示されている。したがって、アクションメニュー３３０内の「連携アプリ起動」が選択されて、連携先アプリケーション２０２が呼び出されたことが判り易い。
【０１０８】
＜２．第２実施形態＞
上記第１実施形態においては、連携元アプリケーション２０１にて表示されていたアクションメニュー３３０を含む画像が連携先アプリケーション２０２の主表示領域３６０の周囲に表示される態様が例示されているが、これに限定されない。
【０１０９】
たとえば、連携元アプリケーション２０１にて表示されていたアクションメニュー３３０を含まない画像が、連携先アプリケーション２０２の主表示領域３６０の周囲に表示されるようにしてもよい（図８参照）。
【０１１０】
第２実施形態では、このような態様について説明する。第２実施形態は、第１実施形態の変形例であり、以下では、第１実施形態との相違点を中心に説明する。
【０１１１】
図８は、第２実施形態に係る連携先アプリケーション２０２の起動時の表示画面５２０を示す図である。
【０１１２】
図８を図７と比較すると判るように、表示画面５２０（図８）においては、アクションメニュー３３０が表示されていない。
【０１１３】
図９は、第２実施形態に係る動作を示すフローチャートである。
【０１１４】
図９に示すように、まず、第１実施形態と同様に、ステップＳ１１，Ｓ１２，Ｓ１３が行われる。ただし、ステップＳ１４（図４）は行われず、ステップＳ１５に進む。
【０１１５】
ステップＳ１５においては、連携元アプリケーション２０１は、アクションメニュー３３０を閉じる（ステップＳ１５）。これにより、タッチスクリーン７６ｃには、図６の表示画面２１２に代えて、図５の表示画面２１１が再び表示される。そして、連携元アプリケーション２０１は、再表示された表示画面２１１をキャプチャし、キャプチャ画像２５２を生成する（ステップＳ１６（Ｓ１６ｂ））。
【０１１６】
このキャプチャ画像２５２は、アクションメニュー３３０（メニュー画像）を含まない。当該キャプチャ画像２５２は、アクションメニュー３３０が重畳表示される前に連携元アプリケーション２０１の実行中に表示されていた文書閲覧領域３０２の画像（文書内容表示画像とも称する）を含む。端的に言えば、このキャプチャ画像２５２は、キャプチャ画像２５１からアクションメニュー３３０を削除した画像である。なお、アクションメニュー３３０が削除された部分には、アクションメニュー３３０の重畳表示前の文書閲覧領域３０２の画像が配置される。
【０１１７】
そして、ステップＳ１７（Ｓ１７ｂ）においては、当該連携先アプリケーション２０２の起動指示が付与される。この際、ステップＳ１６（Ｓ１６ｂ）で取得されたキャプチャ画像２５２（図５参照）がパラメータとして連携先アプリケーション２０２に渡される。
【０１１８】
ステップＳ２１（Ｓ２１ｂ）においては、連携元アプリケーション２０１から渡されたキャプチャ画像２５２（図５）を背景画像として用いて、連携先アプリケーション２０２が起動する。なお、この連携先アプリケーション２０２の起動直前に、連携元アプリケーション２０１はバックグラウンドでの待機状態に移行する。これに伴い、連携元アプリケーション２０１の表示画面はタッチスクリーン７６ｃから消え、代わりに連携先アプリケーション２０２の表示画面がタッチスクリーン７６ｃに現れる。
【０１１９】
図８は、連携先アプリケーション２０２の表示画面（起動画面）５２０を示す図である。図８に示すように、連携先アプリケーション２０２の起動後において、連携先アプリケーション２０２の主表示領域３６０の周辺領域にキャプチャ画像２５２が表示（合成表示）されている。この表示画面５２０に係る画像は、キャプチャ画像２５２に対して主表示領域３６０の画像が重畳されるように、キャプチャ画像２５２と主表示領域３６０の画像とが合成された画像である。換言すれば、連携先アプリケーション２０２の主表示領域３６０の画像の背景画像として、キャプチャ画像２５２が用いられている。
【０１２０】
以上のような動作においては、連携先アプリケーション２０２の起動後に、連携元アプリケーション２０１の表示画面のキャプチャ画像２５２（図５）が連携先アプリケーション２０２の主表示領域３６０の周辺領域に表示（合成表示）される。したがって、連携元アプリケーション２０１と連携先アプリケーション２０２とが連携していることが判り易い。
【０１２１】
また特に、連携元アプリケーション２０１の実行中且つ連携先アプリケーション２０２の起動直前においてアクションメニュー３３０が文書閲覧領域３０２に重畳表示されている場合であっても、連携先アプリケーション２０２の起動直後の表示画面５２０においては、アクションメニュー３３０が存在せず、且つ、アクションメニュー３３０の重畳部分に隠れていた文書閲覧領域３０２の内容も表示され得る。したがって、連携先アプリケーション２０２の起動直後の表示画面５２０において、連携先アプリケーション２０２の起動以前に連携元アプリケーション２０１で表示されていた文書閲覧領域３０２の内容が、アクションメニュー３３０で隠されることなく、判り易く表示され得る。端的に言えば、アクションメニュー３３０が表示されないので、文書内容の視認性の低下を抑制することができる。
【０１２２】
＜３．第３実施形態＞
第３実施形態は、第１実施形態の変形例であり、以下では、第１実施形態との相違点を中心に説明する。
【０１２３】
上記第１実施形態ではキャプチャ画像２５１（図６）を用いて連携先アプリケーション２０２の表示画面５１０（図７）が生成され、上記第２実施形態ではキャプチャ画像２５２（図５）を用いて連携先アプリケーション２０２の表示画面５２０（図８）が生成されている。
【０１２４】
この第３実施形態では、これら２つのキャプチャ画像２５１，２５２の双方が背景用画像の候補として連携先アプリケーション２０２に渡され、連携先アプリケーションが２つのキャプチャ画像２５１，２５２のうちの一方を連携先アプリケーションの起動後における実際の背景用画像として採用（選択）する態様を例示する。
【０１２５】
図１０は、第３実施形態に係る動作を示すフローチャートである。
【０１２６】
図９において、ステップＳ１１〜ステップＳ１４は第１実施形態と同様である。ステップＳ１４（Ｓ１４ｃ）では、図６の表示画面２１２がキャプチャされて、キャプチャ画像２５１が生成される。キャプチャ画像２５１は、アクションメニュー３３０（メニュー画像）を含む画像である。
【０１２７】
次に、連携元アプリケーション２０１はアクションメニュー３３０を閉じ（ステップＳ１５）、さらに、その表示画面２１１（図５参照）をキャプチャしてキャプチャ画像２５２を生成する（ステップＳ１６（Ｓ１６ｃ））。このキャプチャ画像２５２は、アクションメニュー３３０が重畳表示される前の文書閲覧領域３０２の画像を含み且つアクションメニュー３３０（メニュー画像）を含まない。
【０１２８】
このように、連携先アプリケーション２０２で実際に背景用画像として利用される画像の候補として、キャプチャ画像２５１とキャプチャ画像２５２との両画像が生成される（ステップＳ１４，Ｓ１６）。
【０１２９】
そして、ステップＳ１７（Ｓ１７ｃ）においては、当該連携先アプリケーション２０２の起動指示が付与される。この際、キャプチャ画像２５１とキャプチャ画像２５２との両画像がパラメータとして連携先アプリケーション２０２に渡される。
【０１３０】
ステップＳ２１（Ｓ２１ｃ）においては、両キャプチャ画像２５１，２５２のうちの一方のキャプチャ画像が背景画像として用いられて、連携先アプリケーションが起動する。
【０１３１】
たとえば、連携先アプリケーション２０２は常にキャプチャ画像２５２を背景画像として利用することを予め決定している状況を想定すると、連携先アプリケーション２０２の起動後には図８に示すような画面がされる。
【０１３２】
一方、さらに別の連携先アプリケーション２０３（不図示）は常にキャプチャ画像２５１を背景画像として利用することを予め決定している状況を想定すると、連携元アプリケーション２０１から呼び出された連携先アプリケーション２０３は、常にキャプチャ画像２５１を背景画像として利用する。この場合、図７と同様の画面が連携先アプリケーション２０３の起動後に表示される。当該画面には、アクションメニュー３３０は含まれていないので、ユーザは文書の内容を比較的視認し易い。なお、連携先アプリケーション２０３の主表示領域３６０の表示内容、表示位置および表示サイズ等は、連携先アプリケーション２０３の種類等に応じて、図７とは異なっていてもよい。
【０１３３】
このような動作によれば、連携先アプリケーション２０２（あるいは２０３）の起動に際して２つのキャプチャ画像２５１，２５２が連携先アプリケーションに渡される。そして、当該連携先アプリケーション（表示制御部８２等）は、実際に背景画像として利用するキャプチャ画像を決定し、決定されたキャプチャ画像（背景用画像）を背景画像として用いて、連携先アプリケーションの主表示領域３６０の周辺領域に表示する。したがって、連携先アプリケーションにおいて、連携先アプリケーションの選択に応じた適宜の背景用画像を表示することが可能である。
【０１３４】
なお、ここでは、連携先アプリケーション２０２，２０３のそれぞれが、受け取った２つのキャプチャ画像２５１，２５２のうち対応する一のキャプチャ画像を固定的に利用する態様を例示しているが、これに限定されない。連携元アプリケーション２０１と連携する連携先アプリケーション２０２が、受け取った２つのキャプチャ画像２５１，２５２の中から（適宜の条件等に応じて）選択した一方のキャプチャ画像を、選択的に利用するようにしてもよい。
【０１３５】
＜４．第４実施形態＞
上記第３実施形態においては、アクションメニュー３３０（メニュー画像）の有無に応じた２種類のキャプチャ画像２５１，２５２が連携先アプリケーションに渡される態様が例示されているが、これに限定されない。たとえば、携帯情報端末７０における表示の向きに対応する２種類のキャプチャ画像２５１，２５３（後述）が連携先アプリケーションに渡されるようにしてもよい。
【０１３６】
なお、携帯情報端末７０は、略長方形形状のタッチスクリーン７６ｃを縦方向（縦向き）に利用するときには、縦長の画像を表示する「縦方向表示」を行うことが可能であり、タッチスクリーン７６ｃを横方向（横向き）に利用するときには、横長の画像を表示する「横方向表示」を行うことが可能である。「縦方向表示」と「横方向表示」との切換は、たとえば、携帯情報端末７０の内蔵センサ（姿勢検出センサ等）によって検出された携帯情報端末７０の向き（「横」／「縦」）に変更されたことに応じて行われる。あるいは、操作者の明示のボタン操作等によって、「縦方向表示」と「横方向表示」との切換が行われるようにしてもよい。
【０１３７】
この第４実施形態においては、図１３に示すような動作が行われる。ここでは、携帯情報端末７０にて、まず「横方向表示」が行われているものとする。
【０１３８】
詳細には、携帯情報端末７０にて横方向表示が行われている場合において、上記第１実施形態と同様にしてキャプチャ画像２５１が取得される（ステップＳ１１〜Ｓ１４）。
【０１３９】
その後、連携元アプリケーション２０１から連携先アプリケーション２０２への切換前において次の動作が実行される。具体的には、携帯情報端末７０は、その表示方向を「横」から「縦」に強制的に変更して（ステップＳ３１）、連携元アプリケーション２０１における縦方向表示の表示画面２１３（図１１）をキャプチャしてキャプチャ画像２５３が生成される（ステップＳ１６ｄ）。なお、キャプチャ画像２５３の生成後には、タッチスクリーン７６ｃの表示方向は元の表示方向（「横」）に戻される（ステップＳ３２）。
【０１４０】
このようにして、連携先アプリケーション２０２で実際に背景画像として利用される背景用画像の候補として、キャプチャ画像２５１とキャプチャ画像２５３との両画像が生成される（ステップＳ１４，Ｓ１６）。なお、キャプチャ画像２５１は、タッチスクリーン７６ｃにおける横方向表示向けの画像とも称され、キャプチャ画像２５３は、タッチスクリーン７６ｃにおける縦方向表示向けの画像とも称される。
【０１４１】
そして、連携先アプリケーション２０２の起動に際して、２つのキャプチャ画像２５１，２５３の双方が連携元アプリケーション２０１から連携先アプリケーション２０２に引き渡される（ステップＳ１７ｄ）。この引き渡し動作は、画像生成部８５等によって行われる。
【０１４２】
連携先アプリケーション２０２は、２つのキャプチャ画像２５１，２５３のうち、タッチスクリーン７６ｃの向きに応じた一方のキャプチャ画像を背景画像として用いて合成画像を生成し、生成された合成画像をタッチスクリーン７６ｃに表示する（ステップＳ２１ｄ）。
【０１４３】
たとえば、携帯情報端末７０において（依然として）「横方向表示」が行われているときは、連携先アプリケーション２０２は、横方向表示に対応するキャプチャ画像２５１を背景画像として用いて合成画像を生成し、当該合成画像をタッチスクリーン７６ｃに表示する。これにより、タッチスクリーン７６ｃにて「横方向表示」が行われているときには、連携先アプリケーション２０２の初期画面として図７と同様の表示画面５２０が表示される。
【０１４４】
一方、たとえば、携帯情報端末７０がユーザによって回転され、携帯情報端末７０に内蔵された姿勢検出センサによって携帯情報端末７０の向きが「横」から「縦」に変更されたことが検出されると、次のような動作が行われる。すなわち、連携先アプリケーション２０２は、縦方向表示に対応するキャプチャ画像２５３（図１１）を背景画像として用いて合成画像を生成し、当該合成画像をタッチスクリーン７６ｃに表示する。これにより、タッチスクリーン７６ｃにて「縦方向表示」が行われているときには、連携先アプリケーション２０２の初期画面として図１２に示すような表示画面（起動画面）５３０が表示される。図１２は、連携先アプリケーション２０２の縦方向表示用の表示画面５３０を示す図である。
【０１４５】
このような動作によれば、連携先アプリケーション２０２の起動に際して、２つのキャプチャ画像２５１，２５３のうち、携帯情報端末７０での表示方向に応じた一方のキャプチャ画像が利用されて生成された合成画像が表示される。具体的には、タッチスクリーン７６ｃにて横方向表示が行われるときには、キャプチャ画像２５１が背景用画像として利用され、キャプチャ画像２５１を主表示領域３６０の背景画像とする合成画像がタッチスクリーン７６ｃに表示される（図７）。一方、タッチスクリーン７６ｃにて縦方向表示が行われるときには、キャプチャ画像２５３（図１１）が背景用画像として利用され、キャプチャ画像２５３を主表示領域３６０の背景画像とする合成画像（表示画面５３０）がタッチスクリーン７６ｃに表示される（図１２参照）。
【０１４６】
したがって、連携先アプリケーション２０２の表示画面を表示する際の携帯情報端末７０の表示方向に応じた適切なキャプチャ画像が利用されて、適切な画像がタッチスクリーン７６ｃに表示され得る。すなわち、連携先アプリケーション２０２において、携帯情報端末７０の表示方向に応じた適宜の背景用画像を表示することが可能である。特に、連携先アプリケーション２０２において横方向表示と縦方向表示とが切り換えられた場合においても、それぞれの表示に応じた適宜の背景用画像を表示することが可能である。
【０１４７】
＜５．変形例等＞
以上、この発明の実施の形態について説明したが、この発明は上記説明した内容のものに限定されるものではない。
【０１４８】
たとえば、上記第１実施形態等においては、連携先アプリケーション２０２の主表示領域３６０は、アクションメニュー３３０に隣接して配置されているが、これに限定されず、任意の位置に配置され得る。具体的には、図１４に示すように、主表示領域３６０は、アクションメニュー３３０との間に若干の空間を空けて配置され、当該空間に連携先アプリケーション２０２のメニュー画像３８０が表示されるようにしてもよい。図１４では、連携先アプリケーション２０２におけるメニュー画像３８０は、連携先アプリケーション２０２の２つのメニュー項目（「印刷設定」および「サーバ設定」）を有している。これによれば、連携元アプリケーション２０１のアクションメニュー３３０（メニュー画像）と連携先アプリケーション２０２のメニュー画像３８０とが並べられて配置されるので、連携して動作する２つのアプリケーション２０１，２０２におけるメニュー内容を判り易く表示することが可能である。なお、図１４においては、アクションメニュー３３０が（図６と比べて）比較的左側に連携元アプリケーション２０１によって配置される態様が示されている。
【０１４９】
また、上記第４実施形態においては、アクションメニュー３３０を含むキャプチャ画像２５１，２５３を用いて、２つの表示方向（「横」および「縦」）にそれぞれ対応する２つの合成画像（表示画面５１０，５３０）が生成される態様が例示されているが、これに限定されない。
【０１５０】
たとえば、アクションメニュー３３０を含まないキャプチャ画像２５２，２５４（不図示）を用いて、２つの表示方向にそれぞれ対応する２つの合成画像（表示画面５２０，５４０（不図示））が生成されるようにしてもよい。ここにおいて、キャプチャ画像２５４は、縦方向表示用の画像であって、アクションメニューを含まない画像である。また、表示画面５４０は、キャプチャ画像２５４に基づく合成画像が表示された画面である。
【０１５１】
さらには、第４実施形態に係る思想と第３実施形態に係る思想とが組み合わせられてもよい。たとえば、上記の４つのキャプチャ画像２５１，２５２，２５３，２５４が連携先アプリケーションの起動時に渡されるようにしてもよい。そして、携帯情報端末７０の表示方向にも基づいて連携先アプリケーションが４つのキャプチャ画像２５１〜２５４の中から選択した一のキャプチャ画像を利用して合成画像が表示されるようにしてもよい。
【０１５２】
また、上記各実施形態においては、連携元アプリケーションとして電子文書閲覧アプリケーションが例示され、連携先アプリケーションとして印刷管理アプリケーションが例示されているが、これに限定されず、各アプリケーションは各種のアプリケーションであってもよい。たとえば、連携元アプリケーションがスキャンアプリケーションであり、連携先アプリケーションがＯＣＲ（光学文字認識）アプリケーションであってもよい。
【符号の説明】
【０１５３】
１  画像形成システム
１０  ＭＦＰ（画像形成装置）
３０  サーバ
７０  携帯情報端末
７６ｃ  タッチスクリーン
２０１  連携元アプリケーション
２０２，２０３  連携先アプリケーション
２１０，２１１，２１２，２１３  （連携元アプリケーションの）表示画面
２５１，２５２，２５３，２５４  キャプチャ画像
３０１  文書選択領域
３０２  文書閲覧領域
３３０  アクションメニュー
３６０  主表示領域
５１０，５２０，５３０，５４０  （連携先アプリケーションの）表示画面
【図１】
0005846190.tif 000002
【図２】
0005846190.tif 000003
【図３】
0005846190.tif 000004
【図４】
0005846190.tif 000005
【図５】
0005846190.tif 000006
【図６】
0005846190.tif 000007
【図７】
0005846190.tif 000008
【図８】
0005846190.tif 000009
【図９】
0005846190.tif 000010
【図１０】
0005846190.tif 000011
【図１１】
0005846190.tif 000012
【図１２】
0005846190.tif 000013
【図１３】
0005846190.tif 000014
【図１４】
0005846190.tif 000015
【図１５】
0005846190.tif 000016